(57)【要約】【課題】  取り扱いが容易で省スペース化を促進することができるようにする。【解決手段】  壁面に埋設された壁コンセントのテレビコンセントに接続される信号入力端部１８と、この信号入力端部１８から入力されるテレビジョン放送信号を増幅すると共に、この増幅したテレビジョン放送信号を分配する分配器を有するブースタ２２と、このブースタ２２から分配して出力されるテレビジョン放送信号を複数の映像機器に供給する複数の信号供給端部２４と、壁コンセントの電源コンセントに接続され、ブースタ２２に電力を供給する電源入力端部２０とを備える。【選択図】      図１
2006060705.tif 000002
【特許請求の範囲】
【請求項１】
テレビジョンアンテナに接続された信号出力端部及び商用電源に接続された電源出力端部が並設されてなる壁コンセントに取り付ける分配機能付きブースタであって、前記信号出力端部に接続される信号入力端部と、この信号入力端部から入力されるテレビジョン放送信号を増幅すると共に、この増幅したテレビジョン放送信号を分配する分配器を有するブースタと、このブースタから分配して出力されるテレビジョン放送信号を複数の映像機器に供給するための複数の信号供給端部と、前記電源出力端部に接続され、前記ブースタに電力を供給するための電源入力端部とをハウジングに備えてなり、前記信号入力端部及び前記電源入力端部の少なくとも何れか一方もしくは両方にて前記ハウジングを前記壁コンセントに支持させることを特徴とする分配機能付きブースタ。
【請求項２】
テレビジョンアンテナに接続された信号出力端部及び商用電源に接続された電源出力端部が並設されてなる壁コンセントに取り付ける分配機能付きブースタであって、前記信号出力端部に接続される信号入力端部と、この信号入力端部から入力されるテレビジョン放送信号を増幅すると共に、この増幅したテレビジョン放送信号を分配する分配器を有するブースタと、このブースタから分配して出力されるテレビジョン放送信号を複数の映像機器に供給するための複数の信号供給端部と、前記電源出力端部に接続され、前記ブースタに電力を供給するための電源入力端部とをハウジングに備えてなり、前記壁コンセントは、その信号出力端部及び電源出力端部が化粧プレートを装着するための複数の係合孔の形成されたプレート取付枠体の枠内に配設されたものであり、前記ハウジングは、前記プレート取付枠体の係合孔に対応する位置であって、当該係合孔に係合させる複数の係合爪を備えたことを特徴とする分配機能付きブースタ。
【請求項３】
テレビジョンアンテナに接続された信号出力端部及び商用電源に接続された電源出力端部が並設されてなる壁コンセントに取り付ける分配機能付きブースタであって、前記信号出力端部に接続される信号入力端部と、この信号入力端部から入力されるテレビジョン放送信号を増幅すると共に、この増幅したテレビジョン放送信号を分配する分配器を有するブースタと、このブースタから分配して出力されるテレビジョン放送信号を複数の映像機器に供給するための複数の信号供給端部と、前記電源出力端部に接続され、前記ブースタに電力を供給するための電源入力端部とをハウジングに備えてなり、前記壁コンセントは、その信号出力端部及び電源出力端部が周縁に複数の切欠きの形成された個別の出力端取付枠体に取り付けられ、これら出力端取付枠体が壁面に配設されたものであり、前記ハウジングは、前記出力端取付枠体の切欠きに対応する位置であって、当該切欠きに係合させる複数の係合爪を備えたことを特徴とする分配機能付きブースタ。
【請求項４】
前記壁コンセントは、その信号出力端部がテレビコンセントからなり、その電源出力端部が電源コンセントからなるものであって、前記信号入力端部は、前記テレビコンセントに差し込むコネクタからなり、前記電源入力端部は、前記電源コンセントに差し込む電源プラグからなることを特徴とする請求項１乃至３のいずれかに記載の分配機能付きブースタ。
【請求項５】
前記壁コンセントは、その信号出力端部がテレビコンセントからなり、その電源出力端部が電線端末部からなるものであって、前記信号入力端部は、前記テレビコンセントに差し込むコネクタからなり、前記電源入力端部は、前記電線端末部の先端が差し込まれる差込孔を有する電源コンセント端子からなり、前記ハウジングは、前記壁コンセントに対向する面であって前記電源入力端部を設ける個所に前記電線端末部の余剰部を収納するための収納凹部を備えたことを特徴とする請求項１記載の分配機能付きブースタ。
【請求項６】
前記壁コンセントの信号出力端部から出力されるテレビジョン放送信号を増幅すると共に、この増幅したテレビジョン放送信号を分配して各信号供給端部から出力する第１の出力モード及び前記壁コンセントの信号出力端部から出力されるテレビジョン放送信号を増幅せずに直接分配して各信号供給端部から出力する第２の出力モードの何れか一方の出力モードに選択的に切り換えるモード切換スイッチを備えていることを特徴とする請求項１乃至５のいずれかに記載の分配機能付きブースタ。
【発明の詳細な説明】
【技術分野】
【０００１】
本発明は、部屋の壁面などに配設された壁コンセントの信号出力端部から取り出されるテレビジョン放送信号を増幅し、この増幅したテレビジョン放送信号を複数の映像機器に分配する分配機能付きブースタに関する。
【背景技術】
【０００２】
近年では、一般家庭においても複数台のテレビジョン受像機を所有するようになっているが、古い時代に建設されたマンションなどの建築物では、居間などの主要な部屋にしかテレビコンセント（信号出力端部）及び電源コンセント（電源出力端部）を並設してなる壁コンセントが配設されていない場合がある。このため、かかる建築物におけるテレビコンセントの増設ニーズが高まっている。
【０００３】
例えば、マンションなどの建築物では、図２３に示すように、ＢＳアンテナ、ＶＨＦアンテナ、ＵＨＦアンテナなどからなるテレビジョンアンテナ１０１で受信したテレビジョン放送信号をブースタ１０２で増幅し、この増幅したテレビジョン放送信号を分配器１０３により最上階の各部屋に分配する一方、各階の階方向における同じ位置にある部屋には最上階から最下階にまで信号ケーブルが各部屋の壁コンセント１０４のテレビコンセント１０５を介して直列に接続された状態で分配されるようになっている。
【０００４】
このようなテレビジョン放送信号の分配構成では、テレビコンセント１０５の増設工事のために部屋のテレビコンセント１０５を取り外したりすると、その階下の部屋のテレビコンセント１０５には一時的にせよテレビジョン放送信号が分配されないことになる。このため、図２４に示すように、室内ブースタ１０６の信号同軸ケーブル１０７及び電源ケーブル１０８を部屋の壁面に配設された壁コンセント１０４のテレビコンセント（信号出力端部）１０５及び電源コンセント（電源出力端部）１０９にそれぞれプラグを介して接続し、室内ブースタ１０６から出力されるテレビジョン放送信号を分配器１１０により複数の映像機器に分配するようにしている（例えば、特許文献１）。
【０００５】
このようなテレビジョン放送信号の分配構成によれば、テレビコンセント１０５の増設工事において、既設のテレビコンセント１０５を一時的にも取り外す必要がないことから、階下の部屋のテレビコンセント１０５に対するテレビジョン放送信号の供給が遮断されることがない。
【特許文献１】特開２０００―１３４１２２号公報
【発明の開示】
【発明が解決しようとする課題】
【０００６】
しかしながら、上記従来のテレビジョン放送信号の分配構成によれば、室内ブースタ１０６及び分配器１１０を床に置いたままにするか、室内ブースタ１０６及び分配器１１０を個別に壁面にねじ止めするしかないことから、掃除の邪魔になったり、けつまずく原因になったりすると共に、施工しずらいものとなることで取り扱いの不便なものとなり、しかも、室内ブースタ１０６及び分配器１１０が互いに独立していることで全体が大型化することから広い配置スペースが必要になるという問題があった。
【０００７】
本発明は、このような事情に鑑みてなされたものであり、取り扱いが容易で設置のための省スペース化を促進することができる分配機能付きブースタを提供することを目的とする。
【課題を解決するための手段】
【０００８】
上記目的を達成するため、請求項１の発明は、テレビジョンアンテナに接続された信号出力端部及び商用電源に接続された電源出力端部が並設されてなる壁コンセントに取り付ける分配機能付きブースタであって、前記信号出力端部に接続される信号入力端部と、この信号入力端部から入力されるテレビジョン放送信号を増幅すると共に、この増幅したテレビジョン放送信号を分配する分配器を有するブースタと、このブースタから分配して出力されるテレビジョン放送信号を複数の映像機器に供給するための複数の信号供給端部と、前記電源出力端部に接続され、前記ブースタに電力を供給するための電源入力端部とをハウジングに備えてなり、前記信号入力端部及び前記電源入力端部の少なくとも何れか一方もしくは両方にて前記ハウジングを前記壁コンセントに支持させることを特徴としている。
【０００９】
また、請求項２の発明は、テレビジョンアンテナに接続された信号出力端部及び商用電源に接続された電源出力端部が並設されてなる壁コンセントに取り付ける分配機能付きブースタであって、前記信号出力端部に接続される信号入力端部と、この信号入力端部から入力されるテレビジョン放送信号を増幅すると共に、この増幅したテレビジョン放送信号を分配する分配器を有するブースタと、このブースタから分配して出力されるテレビジョン放送信号を複数の映像機器に供給するための複数の信号供給端部と、前記電源出力端部に接続され、前記ブースタに電力を供給するための電源入力端部とをハウジングに備えてなり、前記壁コンセントは、その信号出力端部及び電源出力端部が化粧プレートを装着するための複数の係合孔の形成されたプレート取付枠体の枠内に配設されたものであり、前記ハウジングは、前記プレート取付枠体の係合孔に対応する位置であって、当該係合孔に係合させる複数の係合爪を備えたことを特徴としている。
【００１０】
また、請求項３の発明は、テレビジョンアンテナに接続された信号出力端部及び商用電源に接続された電源出力端部が並設されてなる壁コンセントに取り付ける分配機能付きブースタであって、前記信号出力端部に接続される信号入力端部と、この信号入力端部から入力されるテレビジョン放送信号を増幅すると共に、この増幅したテレビジョン放送信号を分配する分配器を有するブースタと、このブースタから分配して出力されるテレビジョン放送信号を複数の映像機器に供給するための複数の信号供給端部と、前記電源出力端部に接続され、前記ブースタに電力を供給するための電源入力端部とをハウジングに備えてなり、前記壁コンセントは、その信号出力端部及び電源出力端部が周縁に複数の切欠きの形成された個別の出力端取付枠体に取り付けられ、これら出力端取付枠体が壁面に配設されたものであり、前記ハウジングは、前記出力端取付枠体の切欠きに対応する位置であって、当該切欠きに係合させる複数の係合爪を備えたことを特徴としている。
【００１１】
また、請求項４の発明は、請求項１乃至３のいずれかに係るものにおいて、前記壁コンセントは、その信号出力端部がテレビコンセントからなり、その電源出力端部が電源コンセントからなるものであって、前記信号入力端部は、前記テレビコンセントに差し込むコネクタからなり、前記電源入力端部は、前記電源コンセントに差し込む電源プラグからなることを特徴としている。
【００１２】
また、請求項５の発明は、請求項１に係るものにおいて、前記壁コンセントは、その信号出力端部がテレビコンセントからなり、その電源出力端部が電線端末部からなるものであって、前記信号入力端部は、前記テレビコンセントに差し込むコネクタからなり、前記電源入力端部は、前記電線端末部の先端が差し込まれる差込孔を有する電源コンセント端子からなり、前記ハウジングは、前記壁コンセントに対向する面であって前記電源入力端部を設ける個所に前記電線端末部の余剰部を収納するための収納凹部を備えたことを特徴としている。
【００１３】
また、請求項６の発明は、請求項１乃至５のいずれかに係るものにおいて、前記壁コンセントの信号出力端部から出力されるテレビジョン放送信号を増幅すると共に、この増幅したテレビジョン放送信号を分配して各信号供給端部から出力する第１の出力モード及び前記壁コンセントの信号出力端部から出力されるテレビジョン放送信号を増幅せずに直接分配して各信号供給端部から出力する第２の出力モードの何れか一方の出力モードに選択的に切り換えるモード切換スイッチを備えていることを特徴としている。
【発明の効果】
【００１４】
請求項１の発明によれば、分配機能付きブースタは、信号入力端部が壁コンセントの信号出力端部に接続されると共に、電源入力端部が壁コンセントの電源出力端部に接続され、信号入力端部及び電源入力端部の少なくとも何れか一方によりハウジングを壁コンセントに支持させることで当該壁コンセントに取り付けられる。このため、従来のようにブースタや分配器などを床面に設置したり、壁面にねじ止めしたりする必要がなくなる結果、取り扱いが容易となり、分配器を一体に備えていることで小型化される結果、設置のための省スペース化を促進することができる。
【００１５】
請求項２の発明によれば、分配機能付きブースタは、信号入力端部が壁コンセントの信号出力端部に接続されると共に、電源入力端部が壁コンセントの電源出力端部に接続され、壁コンセントのプレート取付枠体の係合孔に対応する位置に形成された係合爪をプレート取付枠体の係合孔に抜け止め状態で係合させ、ハウジングを壁コンセントに支持させることで当該壁コンセントに取り付けられる。このため、従来のようにブースタや分配器などを床面に設置したり、壁面にねじ止めしたりする必要がなくなる結果、取り扱いが容易となり、分配器を一体に備えていることで小型化される結果、設置のための省スペース化を促進することができる。また、分配機能付きブースタが壁コンセントから不用意に抜け出ることが効果的に阻止される結果、壁コンセントへの取り付けを確実に行うことができる。
【００１６】
請求項３の発明によれば、分配機能付きブースタは、信号入力端部が壁コンセントの信号出力端部に接続されると共に、電源入力端部が壁コンセントの電源出力端部に接続され、壁コンセントのプレート取付枠体に取り付けられた出力端取付枠体の切欠きに対応する位置に形成された係合爪を出力端取付枠体の切欠きに抜け止め状態で係合させ、ハウジングを壁コンセントに支持させることで当該壁コンセントに取り付けられる。このため、従来のようにブースタや分配器などを床面に設置したり、壁面にねじ止めしたりする必要がなくなる結果、取り扱いが容易となり、分配器を一体に備えていることで小型化される結果、設置のための省スペース化を促進することができる。また、分配機能付きブースタが壁コンセントから不用意に抜け出ることが効果的に阻止され、壁コンセントへの取り付けを確実に行うことができる。
【００１７】
請求項４の発明によれば、分配機能付きブースタは、信号入力端部であるコネクタが壁コンセントの信号出力端部であるテレビコンセントに差し込まれ、電源入力端部である電源プラグが壁コンセントの電源出力端部である電源コンセントに差し込まれることで壁コンセントに取り付けられる。このため、壁コンセントに対する位置合わせをして押し込むだけで分配機能付きブースタを壁コンセントに取り付けることができる結果、壁コンセントへの取り付けを容易に行うことができる。
【００１８】
請求項５の発明によれば、分配機能付きブースタは、信号入力端部であるコネクタが壁コンセントの信号出力端部であるテレビコンセントに差し込まれ、電源入力端部である電源コンセント端子に壁コンセントの電源出力端部である電線端末部の先端がその余剰部を収納凹部に収納した状態で差し込まれることで壁コンセントに取り付けられる。このため、壁コンセントに対する位置合わせをしてコネクタと電線端末部の先端とを差し込むだけで分配機能付きブースタを壁コンセントに取り付けることができる結果、壁コンセントへの取り付けを容易に行うことができ、電線端末部の余剰部が収納凹部に収納される結果、分配機能付きブースタを壁コンセントに接した状態で確実に取り付けることができる。
【００１９】
請求項６の発明によれば、壁コンセントの信号出力端部から出力されるテレビジョン放送信号のレベルが低い場合は第１の出力モードに設定され、壁コンセントの信号出力端部から出力されるテレビジョン放送信号のレベルが高い場合は第２の出力モードに設定される。このため、テレビジョン放送信号のレベルに応じて使い分けのできる利便性の高いものになると共に、ブースタではなく分配器としての利用も可能になる。
【発明を実施するための最良の形態】
【００２０】
図１は、本発明の第１の実施形態に係る分配機能付きブースタの外観斜視図であり、（ａ）は表面外観斜視図、（ｂ）は背面外観斜視図である。この図において、分配機能付きブースタ１０ａは、ハウジング１２と、ハウジング１２の表面１２１に操作部が露出するように取り付けられた電源スイッチ１４と、ハウジング１２の表面１２１に点灯部が露出するように取り付けられた電源ランプ１６と、電源スイッチ１４及び電源ランプ１６が配設されている表面１２１と対向するハウジング１２の背面１２２にプラグ先端が露出するように取り付けられた信号入力端部１８と、ハウジング１２の背面１２２にプラグ先端が露出するように取り付けられた電源入力端部２０と、ハウジング１２の内部に配設された分配機能を有するブースタ２２と、ブースタ２２から出力されるテレビジョン放送信号を複数の映像機器に供給する複数（図では４個）の信号供給端部２４とを備えている。
【００２１】
ハウジング１２は、例えば、金属材料などで構成された電磁シールド機能を有する直方体形状を有するものである。電源スイッチ１４は、ブースタ２２に供給する駆動電源をオンオフするものであり、ノブの両端を選択的に押圧することでオンオフを切り換えるタンブラー型スイッチにより構成されたものである。なお、電源スイッチ１４は、ノブを左右にスライドさせることでオンオフを切り換えるスライド型スイッチなどの他の構造のものであってもよい。電源ランプ１６は、発光ダイオードなどで構成され、電源スイッチ１４がオンにされてブースタ２２に駆動電源が供給されているときに点灯するものである。
【００２２】
信号入力端部１８は、ブースタ２２の信号入力端を構成するコネクタ（プッシュ式コネクタ）からなるものであり、図２に示す壁面などに配設された壁コンセント（コンセント盤）３０の同軸コネクタからなるテレビコンセントとしての信号出力端部３２に対向する位置に配設され、その信号出力端部３２に差し込むことで信号出力端部３２に電気的に接続されるものである。この信号出力端部３２は、テレビジョン放送を受信するためのテレビジョンアンテナに接続されており、信号入力端部１８が信号出力端部３２に接続されることにより、テレビジョンアンテナで受信されたテレビジョン放送信号がブースタ２２に入力される。
【００２３】
電源入力端部２０は、ブースタ２２の電源入力端を構成するもので、左右一対の差し込み刃２０１を備えた電源プラグ（電源コンセントプラグ）からなるものであり、信号入力端部１８とは左右方向に互いに隣接するように配設され、図２に示す壁コンセント３０の電源コンセントからなる電源出力端部３４に対向する位置に配設され、その差し込み刃２０１を電源出力端部３４に差し込むことで電源出力端部３４に電気的に接続されるものである。この電源出力端部３４は、商用電源に接続されており、電源入力端部２０が電源出力端部３４に接続されることにより、電源スイッチ１４がオン操作されたときにブースタ２２に駆動電源が供給される。
【００２４】
なお、図２に示す壁コンセント３０は、部屋の壁面などに埋め込んだ状態で配設される周知の構成になるものであり、図３に概略的に示すように、表面に配設される平板状の化粧プレート３０１と、化粧プレート３０１を取り付ける矩形状のプレート取付枠体３０２と、プレート取付枠体３０２の枠内に取り付けられ、信号出力端部３２の取り付けられた矩形状の出力端取付枠体３０３と、出力端取付枠体３０３に対し左右方向に隣接して配設されると共に、プレート取付枠体３０２の枠内に取り付けられ、電源出力端部３４の取り付けられた矩形状の出力端取付枠体３０４とから構成されたものである。
【００２５】
ここで、プレート取付枠体３０２は、周方向に沿って複数（図では８個）の係合孔３０５が形成されたものであり、化粧プレート３０１は、プレート取付枠体３０２の係合孔３０５に対応する位置にそれぞれ係合爪３０６が形成されたものであって、各係合爪３０６が対応する係合孔３０５に挿入されて係合されることで化粧プレート３０１がプレート取付枠体３０２に取り付けられることになる。なお、化粧プレート３０１には、２つの窓部３０７，３０８が形成されており、化粧プレート３０１がプレート取付枠体３０２に取り付けられたときに、信号出力端部３２及び電源出力端部３４が窓部３０７，３０８から外部に露出することになる。
【００２６】
また、出力端取付枠体３０３は、上下両端部においてプレート取付枠体３０２の背面にねじ止めされ、周縁の各コーナ部に切欠き３１０が形成されたものである。同様に、出力端取付枠体３０４も、上下両端部においてプレート取付枠体３０２の背面にねじ止めされ、周縁の各コーナ部に切欠き３１１が形成されたものである。
【００２７】
なお、壁コンセント３０の信号出力端部３２及び電源出力端部３４は、通常のものではその間隔が標準規格により規定されており、この規格に合わせて分配機能付きブースタ１０ａの信号入力端部１８及び電源入力端部の間隔が設定されることになる。
【００２８】
図１に戻り、ブースタ２２は、電源スイッチ１４がオン操作されて駆動電源が供給されることにより駆動され、信号入力端部１８から入力されたテレビジョン放送信号を増幅し、この増幅したテレビジョン放送信号を複数に分配して各信号供給端部２４から出力するものである。このブースタ２２は、例えば、図４のブロック図に示すように構成されたもので、配線基板上に半導体素子などの電子部品を搭載して回路構成されたものである。
【００２９】
すなわち、ブースタ２２は、信号入力端部１８から入力されたテレビジョン放送信号をＢＳ・１１０°ＣＳ放送信号とＵＨＦ・ＶＨＦ放送信号とに分波するＢＳ・１１０°ＣＳ／Ｕ・Ｖ分波器２２１と、ＢＳ・１１０°ＣＳ／Ｕ・Ｖ分波器２２１により分波されたＵＨＦ・ＶＨＦ放送信号をＵＨＦ放送信号とＶＨＦ放送信号とに分波するＵ／Ｖ分波器２２２と、Ｕ／Ｖ分波器２２２により分波されたＶＨＦ放送信号をＶＨ放送信号とＶＬ放送信号とに分波するＶＨ／ＶＬ分波器２２３と、ＢＳ・１１０°ＣＳ／Ｕ・Ｖ分波器２２１により分波したＢＳ・１１０°ＣＳ放送信号を増幅するＢＳ・１１０°ＣＳアンプ２２４と、Ｕ／Ｖ分波器２２２により分波したＵＨＦ放送信号を増幅するＵＨＦアンプ２２５と、ＶＨ／ＶＬ分波器２２３により分波したＶＨ放送信号を増幅するＶＨアンプ２２６とを備えている。
【００３０】
また、ブースタ２２は、ＶＨ／ＶＬ分波器２２３により分波したＶＬ放送信号を増幅するＶＬアンプ２２７と、ＶＨアンプ２２６で増幅したＶＨ放送信号とＶＬアンプ２２７で増幅したＶＬ放送信号とを混合するＶＨ／ＶＬ混合器２２８と、ＶＨ／ＶＬ混合器２２８で混合して得たＶＨＦ放送信号とＵＨＦアンプ２２５により増幅したＵＨＦ放送信号とを混合するＵ／Ｖ混合器２２９と、Ｕ／Ｖ混合器２２９で混合して得たＵＨＦ・ＶＨＦ放送信号とＢＳ・１１０°ＣＳアンプ２２４により増幅したＢＳ・１１０°ＣＳ放送信号とを混合するＢＳ・１１０°ＣＳ／Ｕ・Ｖ混合器２３０と、ＢＳ・１１０°ＣＳ／Ｕ・Ｖ混合器２３０により混合されたテレビジョン放送信号を分配して各信号供給端部２４に供給する分配器２３１とを備えている。
【００３１】
なお、図４のブロック図においては図示を省略しているが、ブースタ２２は、電源入力端部２０から供給された交流電圧を直流電圧に変換して各分波器２２１，２２２，２２３、各アンプ２２４，２２５，２２６，２２７、各混合器２２８，２２９，２３０などに駆動電源として供給するＡＣ／ＤＣ変換回路を有している。
【００３２】
信号供給端部２４は、ハウジング１２の下面に突出するように配設された接栓座からなるものであり、ブースタ２２で増幅されて分配されたテレビジョン放送信号を複数の映像機器に供給するためのものである。
【００３３】
図５は、上記のように構成された第１の実施形態に係る分配機能付きブースタ１０ａの壁コンセント３０に対する取り付け方法を説明するための図で、（ａ）は取り付け前の状態を示す図、（ｂ）は取り付け後の状態を示す図である。すなわち、分配機能付きブースタ１０ａは、コネクタからなる信号入力端部１８が壁コンセント３０のテレビコンセントである信号出力端部３２に差し込まれることで信号出力端部３２に電気的に接続されると共に、電源プラグからなる電源入力端部２０が壁コンセント３０の電源コンセントからなる電源出力端部３４に差し込まれることで電源出力端部３４に電気的に接続され、壁コンセント３０の信号出力端部３２及び電源出力端部３４を覆った状態で壁コンセント３０に取り付けられることになる。
【００３４】
また、接栓座からなる信号供給端部２４には、同軸ケーブル４０の一端に接続されたＦ型接栓プラグ４２が螺合される。これにより、同軸ケーブル４０はＦ型接栓プラグ４２により接栓座からなる信号供給端部２４に電気的に接続され、同軸ケーブル４０の他端に接続された増設用テレビコンセント４４に信号供給端部２４から出力されたテレビジョン放送信号が供給され、映像機器の信号入力端が増設用テレビコンセント４４に接続されることにより映像機器にテレビジョン放送信号が供給される。
【００３５】
このように、本発明の第１の実施形態に係る分配機能付きブースタ１０ａは、コネクタからなる信号入力端部１８がテレビコンセントからなる信号出力端部３２に差し込まれると共に、電源プラグからなる電源入力端部２０が電源コンセントからなる電源出力端部３４に差し込まれることにより、壁コンセント３０の信号出力端部３２及び電源出力端部３４を覆った状態で壁コンセント３０に取り付けられる。すなわち、この実施形態では、信号入力端部１８と電源入力端部２０とにより、分配機能付きブースタ１０ａを構成するハウジング１２が壁コンセント３０に支持される。
【００３６】
このため、分配機能付きブースタ１０ａを床面に設置したり、壁面にねじ止めしたりする必要がなくなる結果、取り扱いが容易となり、分配器２３１を一体に備えることで小型化される結果、設置のための省スペース化を促進することができる。また、壁コンセント３０に対する位置合わせをして押し込むだけで分配機能付きブースタ１０ａを壁コンセント３０に取り付けることができる結果、壁コンセント３０への取り付けを容易に行うことができると共に、分配機能付きブースタ１０ａを床面に設置したりする必要がないことから、美観上も好ましいものとなる。
【００３７】
図６は、本発明の第２の実施形態に係る分配機能付きブースタの外観斜視図であり、（ａ）は表面外観斜視図、（ｂ）は背面外観斜視図である。この第２の実施形態に係る分配機能付きブースタ１０ｂは、第１の実施形態に係る分配機能付きブースタ１０ａと基本的には同一の構成要素からなるものであるため、同一の機能を有する構成要素については同一の符号を付与することにより詳細な説明を省略し、以下には第１の実施形態に係る分配機能付きブースタ１０ａとの相違点を中心に説明する。
【００３８】
この第２の実施形態に係る分配機能付きブースタ１０ｂは、電源入力端部２０の構成が第１の実施形態に係る分配機能付きブースタ１０ａのものと相違すると共に、ハウジング１２の表面１２１に電源コンセント５０を備えている点で第１の実施形態に係る分配機能付きブースタ１０ａと相違している。この電源コンセント５０は、壁コンセント３０の電源出力端部３４と同様の機能を有するもので、外部の映像機器などの電源プラグが装着されるものである。その他の構成は、第１の実施形態に係る分配機能付きブースタ１０ａと同一である。
【００３９】
すなわち、第２の実施形態に係る分配機能付きブースタ１０ｂは、そのハウジング１２の背面１２２に位置する電源入力端部２０が上下２段に配設され、各電源入力端部２０が後述する電線端末部３４１の先端を圧入的に挿入して装着する左右一対の差込孔２０２を有する電源コネクタ端子からなるものである。この差込孔２０２は、導電性端子を形成する金属製筒体が装着されて構成されたものである。また、上下２段に配設された電源入力端部２０は、その一方（例えば、上段の電源入力端部２０）がブースタ２２へ駆動電源を供給するためのものであり、他方（例えば、下段の電源入力端部２０）が表面１２１に配設されている電源コンセント５０に接続されたものである。
【００４０】
図７は、上記のように構成された第２の実施形態に係る分配機能付きブースタ１０ｂの壁コンセント３０に対する取り付け方法を説明するための図で、（ａ）は取り付け前の状態を示す図、（ｂ）は取り付け後の状態を示す図である。この第２の実施形態に係る分配機能付きブースタ１０ｂは、電源入力端部２０が電線端末部３４１の先端を圧入的に挿入する差込孔２０２を有する電源コンセント端子からなるものであるため、化粧プレート３０１を取り外した状態の壁コンセント３０に取り付けるものとなる。
【００４１】
すなわち、壁コンセント３０は、化粧プレート３０１が取り外されると共に、電源コンセントで構成されていた電源出力端部３４が商用電源に接続されている電線端末部３４１により構成されたものとなる。なお、電線端末部３４１は、上下２段の電源入力端部２０に装着する必要があることから、２組に分岐された状態となっており、各先端には筒状金具３４２が密着的に装着され、電源入力端部２０の差込孔２０２への圧入が容易かつ確実に行えるようになっている。
【００４２】
このような状態にある壁コンセント３０に対し、第２の実施形態に係る分配機能付きブースタ１０ｂは、コネクタからなる信号入力端部１８が壁コンセント３０のテレビコンセントからなる信号出力端部３２に差し込まれることで信号出力端部３２に電気的に接続されると共に、電源コンセント端子からなる各電源入力端部２０が壁コンセント３０の電源出力端部３４を構成する各一対の電線端末部３４１の先端を差込孔２０２に圧入的に差し込むことで電源出力端部３４に電気的に接続され、壁コンセント３０の信号出力端部３２及び電源出力端部３４を覆った状態で壁コンセント３０に取り付けられることになる。すなわち、この実施形態では、信号入力端部１８により分配機能付きブースタ１０ｂを構成するハウジング１２が壁コンセント３０に支持される。
【００４３】
このため、第２の実施形態に係る分配機能付きブースタ１０ｂは、第１の実施形態に係る分配機能付きブースタ１０ａと同様に、分配機能付きブースタ１０ｂを床面に設置したり、壁面にねじ止めしたりする必要がなくなる結果、取り扱いが容易となり、分配器２３１を一体に備えることで小型化される結果、設置のための省スペース化を促進することができる。また、壁コンセント３０に対する位置合わせをしてコネクタからなる信号入力端部１８と電線端末部３４１の先端とを差し込むだけで分配機能付きブースタ１０ｂを壁コンセント３０に取り付けることができる結果、壁コンセント３０への取り付けを容易に行うことができる。さらに、分配機能付きブースタ１０ｂを床面に設置したりする必要がないことから、美観上も好ましいものになると共に、電源コネクタ５０を配設していることから、映像機器や他の電気機器の電源プラグを装着することでそれら映像機器などに電源を供給することができ、利便性に優れたものとなる。
【００４４】
なお、第２の実施形態に係る分配機能付きブースタ１０ｂでは、電源入力端部２０を上下２段に備えた構成となっているが、これに限るものではない。例えば、電源入力端部２０を１つだけで構成することも可能であるし、３つ以上で構成することも可能である。電源入力端部２０を３つ以上で構成する場合、電源コネクタ５０をそれに応じて増設することもできる。電源入力端部２０を１つだけで構成する場合、電源コネクタ５０を配設しないようにしてもよい。また、電源入力端部２０を複数（２個あるいは３個以上）備える場合であっても、上下方向ではなく、左右方向に配設するようにしてもよい。
【００４５】
図８は、本発明の第３の実施形態に係る分配機能付きブースタの外観斜視図であり、（ａ）は表面外観斜視図、（ｂ）は背面外観斜視図である。この第３の実施形態に係る分配機能付きブースタ１０ｃは、第２の実施形態に係る分配機能付きブースタ１０ｂと基本的には同一の構成要素からなるものであるため、同一の機能を有する構成要素については同一の符号を付与することにより詳細な説明を省略し、以下には第２の実施形態に係る分配機能付きブースタ１０ｂとの相違点を中心に説明する。
【００４６】
この第３の実施形態に係る分配機能付きブースタ１０ｃは、ハウジング１２の背面１２２に位置する電源コンセント端子からなる電源入力端部２０を配設する個所の構成が第２の実施形態に係る分配機能付きブースタ１０ｂのものと相違している。すなわち、第３の実施形態に係る分配機能付きブースタ１０ｃは、そのハウジング１２の背面１２２に位置する電源コンセント端子からなる電源入力端部２０を配設する個所に、電源出力端部３４を構成する電線端末部３４１の余剰部を収納するための収納凹部５２をハウジング１２の上下面に開放した形状で形成したものであり、その他の構成は第２の実施形態に係る分配機能付きブースタ１０ｂと同一である。
【００４７】
図９は、上記のように構成された第３の実施形態に係る分配機能付きブースタ１０ｃの壁コンセント３０に対する取り付け方法を説明するための図で、（ａ）は取り付け前の状態を示す図、（ｂ）は取り付け後の状態を示す図である。この第３の実施形態に係る分配機能付きブースタ１０ｃは、第２の実施形態に係る分配機能付きブースタ１０ｂと同様に電源入力端部２０が電線端末部３４１の先端を圧入的に挿入する差込孔２０２を有する電源コンセント端子からなるものであるため、化粧プレート３０１を取り外した状態の壁コンセント３０に取り付けるものとなる。
【００４８】
すなわち、壁コンセント３０は、第２の実施形態の場合と同様に、化粧プレート３０１が取り外されると共に、電源コンセントで構成されていた電源出力端部３４が商用電源に接続されている２組の電線端末部３４１により構成されたものとなる。
【００４９】
このような状態にある壁コンセント３０に対し、第３の実施形態に係る分配機能付きブースタ１０ｃは、コネクタからなる信号入力端部１８が壁コンセント３０のテレビコンセントからなる信号出力端部３２に差し込まれることで信号出力端部３２に電気的に接続されると共に、電源コンセント端子からなる各電源入力端部２０が壁コンセント３０の電源出力端部３４を構成する各一対の電線端末部３４１の先端を差込孔２０２に圧入的に差し込むことで電源出力端部３４に電気的に接続され、壁コンセント３０の信号出力端部３２及び電源出力端部３４を覆った状態で壁コンセント３０に取り付けられることになる。このとき、各電線端末部３４１の余剰部は収納凹部５２に収納される。すなわち、この実施形態では、第２の実施形態に係るものと同様に、信号入力端部１８により分配機能付きブースタ１０ｃを構成するハウジング１２が壁コンセント３０に支持される。
【００５０】
このため、第３の実施形態に係る分配機能付きブースタ１０ｃは、第１，第２の実施形態に係る分配機能付きブースタ１０ａ，１０ｂと同様に、分配機能付きブースタ１０ｃを床面に設置したり、壁面にねじ止めしたりする必要がなくなる結果、取り扱いが容易となり、分配器２３１を一体に備えることで小型化される結果、設置のための省スペース化を促進することができる。また、電線端末部３４１の余剰部が収納凹部５２に収納されることから、分配機能付きブースタ１０ｃを壁コンセント３０から浮いた状態にすることなく壁コンセント３０に接した状態で確実に取り付けることができる。
【００５１】
なお、第３の実施形態に係る分配機能付きブースタ１０ｃでは、第２の実施形態に係る分配機能付きブースタ１０ｂと同様に、電源入力端部２０を上下２段に備えた構成となっているが、これに限るものではない。例えば、電源入力端部２０を１つだけで構成することも可能であるし、３つ以上で構成することも可能である。電源入力端部２０を３つ以上で構成する場合、電源コネクタ５０をそれに応じて増設することもできる。電源入力端部２０を１つだけで構成する場合、電源コネクタ５０を配設しないようにしてもよい。また、電源入力端部２０を複数（２個あるいは３個以上）備える場合であっても、上下方向ではなく、左右方向に配設するようにしてもよい。
【００５２】
また、この第３の実施形態に係る分配機能付きブースタ１０ｃでは、ハウジング１２の背面１２２に形成された収納凹部５２は上下面に開放された形状を有しているが、これに限るものではない。例えば、上下面のいずれか一面が閉じた形状にすることもでき、上下面の両面が閉じた形状にすることもできる。
【００５３】
図１０は、本発明の第４の実施形態に係る分配機能付きブースタの外観斜視図であり、（ａ）は表面外観斜視図、（ｂ）は背面外観斜視図である。この第４の実施形態に係る分配機能付きブースタ１０ｄは、第１の実施形態に係る分配機能付きブースタ１０ａと基本的には同一の構成要素からなるものであるため、同一の機能を有する構成要素については同一の符号を付与することにより詳細な説明を省略し、以下には第１の実施形態に係る分配機能付きブースタ１０ａとの相違点を中心に説明する。
【００５４】
この第４の実施形態に係る分配機能付きブースタ１０ｄは、信号入力端部１８の配設位置及び電源入力端部２０の構成が第１の実施形態に係る分配機能付きブースタ１０ａのものと相違している。その他の構成は、第１の実施形態に係る分配機能付きブースタ１０ａと同一である。すなわち、第４の実施形態に係る分配機能付きブースタ１０ｄは、そのハウジング１２の背面１２２に位置するコネクタからなる信号入力端部１８が背面１２２を正面視した右端に配設されると共に、電源入力端部２０が先端に電源プラグ（電源コネクタプラグ）５４を有し、ハウジング１２の下面から引き出された電源ケーブル５６により構成されたものである。
【００５５】
図１１は、上記のように構成された第４の実施形態に係る分配機能付きブースタ１０ｄの壁コンセント３０に対する取り付け方法を説明するための図で、（ａ）は取り付け前の状態を示す図、（ｂ）は取り付け後の状態を示す図である。すなわち、第４の実施形態に係る分配機能付きブースタ１０ｄは、コネクタからなる信号入力端部１８が壁コンセント３０のテレビコンセントからなる信号出力端部３２に差し込まれることで信号出力端部３２に電気的に接続されると共に、電源入力端部２０を構成する電源ケーブル５６先端の電源プラグ５４が壁コンセント３０の電源コンセントからなる電源出力端部３４に差し込まれることで電源出力端部３４に電気的に接続され、壁コンセント３０の信号出力端部３２を覆った状態で壁コンセント３０に取り付けられることになる。すなわち、この実施形態では、第２、第３の実施形態に係るものと同様に、信号入力端部１８により分配機能付きブースタ１０ｄを構成するハウジング１２が壁コンセント３０に支持される。
【００５６】
このため、第４の実施形態に係る分配機能付きブースタ１０ｄは、第１の実施形態に係る分配機能付きブースタ１０ａと同様に、分配機能付きブースタ１０ｄを床面に設置したり、壁面にねじ止めしたりする必要がなくなる結果、取り扱いが容易となり、分配器２３１を一体に備えることで小型化される結果、設置のための省スペース化を促進することができる。また、コネクタからなる信号入力端部１８を壁コンセント３０のテレビコンセントからなる信号出力端部３２に対して位置合わせをして押し込むだけで分配機能付きブースタ１０ｄを壁コンセント３０に取り付けることができる結果、壁コンセント３０への取り付けを容易かつ確実に行うことができる。
【００５７】
図１２は、本発明の第５の実施形態に係る分配機能付きブースタの外観斜視図であり、（ａ）は表面外観斜視図、（ｂ）は背面外観斜視図である。この第５の実施形態に係る分配機能付きブースタ１０ｅは、第１の実施形態に係る分配機能付きブースタ１０ａと基本的には同一の構成要素からなるものであるため、同一の機能を有する構成要素については同一の符号を付与することにより詳細な説明を省略し、以下には第１の実施形態に係る分配機能付きブースタ１０ａとの相違点を中心に説明する。
【００５８】
この第５の実施形態に係る分配機能付きブースタ１０ｅは、信号入力端部１８の構成及び電源入力端部２０の配置位置が第１の実施形態に係る分配機能付きブースタ１０ａのものと相違している。その他の構成は、第１の実施形態に係る分配機能付きブースタ１０ａと同一である。すなわち、第５の実施形態に係る分配機能付きブースタ１０ｅは、信号入力端部１８が先端にコネクタ（プッシュ式コネクタ）６０を有し、ハウジング１２の上面から引き出された同軸ケーブル６２により構成されると共に、ハウジング１２の背面１２２に位置する電源プラグ（電源コンセントプラグ）からなる電源入力端部２０が背面１２２を正面視した左端に配設されたものである。
【００５９】
図１３は、上記のように構成された第５の実施形態に係る分配機能付きブースタ１０ｅの壁コンセント３０に対する取り付け方法を説明するための図で、（ａ）は取り付け前の状態を示す図、（ｂ）は取り付け後の状態を示す図である。すなわち、第５の実施形態に係る分配機能付きブースタ１０ｅは、電源コネクタからなる電源入力端部２０が壁コンセント３０の電源コンセントからなる電源出力端部３４に差し込まれることで電源出力端部３４に電気的に接続されると共に、信号入力端部１８を構成する同軸ケーブル６２先端のコネクタ６０が同軸コネクタなどのテレビコンセントからなる信号出力端部３２に差し込まれることで信号出力端部３２に電気的に接続され、壁コンセント３０の電源出力端部３４を覆った状態で壁コンセント３０に取り付けられることになる。すなわち、この実施形態では、電源入力端部２０により分配機能付きブースタ１０ｅを構成するハウジング１２が壁コンセント３０に支持される。
【００６０】
このため、第５の実施形態に係る分配機能付きブースタ１０ｅは、第１の実施形態に係る分配機能付きブースタ１０ａと同様に、分配機能付きブースタ１０ｅを床面に設置したり、壁面にねじ止めしたりする必要がなくなる結果、取り扱いが容易となり、分配器２３１を一体に備えることで小型化される結果、設置のための省スペース化を促進することができる。また、電源コネクタからなる電源入力端部２０を壁コンセント３０の電源コンセントからなる電源出力端部３４に対して位置合わせをして押し込むだけで分配機能付きブースタ１０ｅを壁コンセント３０に取り付けることができる結果、壁コンセント３０への取り付けを容易かつ確実に行うことができる。
【００６１】
図１４は、本発明の第６の実施形態に係る分配機能付きブースタの外観斜視図であり、（ａ）は表面外観斜視図、（ｂ）は背面外観斜視図である。この第６の実施形態に係る分配機能付きブースタ１０ｆは、第１の実施形態に係る分配機能付きブースタ１０ａと基本的には同一の構成要素からなるものであるため、同一の機能を有する構成要素については同一の符号を付与することにより詳細な説明を省略し、以下には第１の実施形態に係る分配機能付きブースタ１０ａとの相違点を中心に説明する。
【００６２】
この第６の実施形態に係る分配機能付きブースタ１０ｆは、その壁コンセント３０に対する取り付け構造が第１の実施形態に係る分配機能付きブースタ１０ａのものと相違している。その他の構成は、第１の実施形態に係る分配機能付きブースタ１０ａと同一である。すなわち、第６の実施形態に係る分配機能付きブースタ１０ｆは、ハウジング１２の背面１２２における信号入力端部１８及び電源入力端部２０を取り囲む位置であって、図３に示す壁コンセント３０のプレート取付枠体３０２に形成されている係合孔３０５のうちの所要の係合孔３０５に対応する位置にその係合孔３０５に係合させる複数の係合爪６４を形成したものである。
【００６３】
図１５は、上記のように構成された第６の実施形態に係る分配機能付きブースタ１０ｆの壁コンセント３０に対する取り付け方法を説明するための図で、（ａ）は取り付け前の状態を示す図、（ｂ）は取り付け後の状態を示す図である。すなわち、第６の実施形態に係る分配機能付きブースタ１０ｆは、ハウジング１２の背面１２２に形成されている各係合爪６４が壁コンセント３０のプレート取付枠体３０２の対応する係合孔３０５に抜け止めされた状態で係合される一方、コネクタからなる信号入力端部１８が壁コンセント３０のテレビコンセントからなる信号出力端部３２に差し込まれることで信号出力端部３２に電気的に接続されると共に、電源プラグからなる電源入力端部２０が壁コンセント３０の電源コンセントからなる電源出力端部３４に差し込まれることで電源出力端部３４に電気的に接続され、壁コンセント３０の信号出力端部３２及び電源出力端部３４を覆った状態で壁コンセント３０に取り付けられることになる。すなわち、この実施形態では、信号入力端部１８と電源入力端部２０による支持に加え、係合爪６４により分配機能付きブースタ１０ｆを構成するハウジング１２が壁コンセント３０に確実に支持される。
【００６４】
このため、第６の実施形態に係る分配機能付きブースタ１０ｆは、第１の実施形態に係る分配機能付きブースタ１０ａと同様に、分配機能付きブースタ１０ｆを床面に設置したり、壁面にねじ止めしたりする必要がなくなる結果、取り扱いが容易となり、分配器２３１を一体に備えることで小型化される結果、設置のための省スペース化を促進することができる。また、ハウジング１２の背面１２２に形成された係合爪６４がプレート取付枠体３０２の係合孔３０５にそれぞれ抜け止めされた状態で係合されることで、分配機能付きブースタ１０ｆが壁コンセント３０から不用意に抜け出ることが効果的に阻止される。
【００６５】
図１６は、本発明の第７の実施形態に係る分配機能付きブースタの外観斜視図であり、（ａ）は表面外観斜視図、（ｂ）は背面外観斜視図である。この第７の実施形態に係る分配機能付きブースタ１０ｇは、第１の実施形態に係る分配機能付きブースタ１０ａと基本的には同一の構成要素からなるものであるため、同一の機能を有する構成要素については同一の符号を付与することにより詳細な説明を省略し、以下には第１の実施形態に係る分配機能付きブースタ１０ａとの相違点を中心に説明する。
【００６６】
この第７の実施形態に係る分配機能付きブースタ１０ｇは、その壁コンセント３０に対する取り付け構造が第１の実施形態に係る分配機能付きブースタ１０ａのものと相違している。その他の構成は、第１の実施形態に係る分配機能付きブースタ１０ａと同一である。すなわち、第７の実施形態に係る分配機能付きブースタ１０ｇは、ハウジング１２の背面１２２における信号入力端部１８及び電源入力端部２０を取り囲む位置であって、図３に示す壁コンセント３０のプレート取付枠体３０２に取り付けられている出力端取付枠体３０３の切欠き３１０に対応する位置に切欠き３１０に係合させる複数の係合爪６６を形成したものである。
【００６７】
図１７は、上記のように構成された第７の実施形態に係る分配機能付きブースタ１０ｇの壁コンセント３０に対する取り付け方法を説明するための図で、（ａ）は取り付け前の状態を示す図、（ｂ）は取り付け後の状態を示す図である。すなわち、第７の実施形態に係る分配機能付きブースタ１０ｇは、ハウジング１２の背面１２２に形成されている各係合爪６６が壁コンセント３０のプレート取付枠体３０２に取り付けられている出力端取付枠体３０３の切欠き３１０に抜け止めされた状態で係合される一方、コネクタからなる信号入力端部１８が壁コンセント３０のテレビコンセントからなる信号出力端部３２に差し込まれることで信号出力端部３２に電気的に接続されると共に、電源プラグからなる電源入力端部２０が壁コンセント３０の電源コンセントからなる電源出力端部３４に差し込まれることで電源出力端部３４に電気的に接続され、壁コンセント３０の信号出力端部３２及び電源出力端部３４を覆った状態で壁コンセント３０に取り付けられることになる。すなわち、この実施形態では、信号入力端部１８と電源入力端部２０による支持に加え、係合爪６６により分配機能付きブースタ１０ｇを構成するハウジング１２が壁コンセント３０に確実に支持される。
【００６８】
このため、第７の実施形態に係る分配機能付きブースタ１０ｇは、第１の実施形態に係る分配機能付きブースタ１０ａと同様に、分配機能付きブースタ１０ｇを床面に設置したり、壁面にねじ止めしたりする必要がなくなる結果、取り扱いが容易となり、分配器２３１を一体に備えることで小型化される結果、設置のための省スペース化を促進することができる。また、ハウジング１２の背面１２２に形成された係合爪６６が出力端取付枠体３０３の切欠き３１０にそれぞれ抜け止めされた状態で係合されることで、分配機能付きブースタ１０ｇが壁コンセント３０から不用意に抜け出ることが効果的に阻止される。
【００６９】
図１８は、本発明の第８の実施形態に係る分配機能付きブースタの外観斜視図であり、（ａ）は表面外観斜視図、（ｂ）は背面外観斜視図である。この第８の実施形態に係る分配機能付きブースタ１０ｈは、第１の実施形態に係る分配機能付きブースタ１０ａと基本的には同一の構成要素からなるものであるため、同一の機能を有する構成要素については同一の符号を付与することにより詳細な説明を省略し、以下には第１の実施形態に係る分配機能付きブースタ１０ａとの相違点を中心に説明する。
【００７０】
この第８の実施形態に係る分配機能付きブースタ１０ｈは、ハウジング１２の表面１２１にテレビコンセント７０及び電源コンセント７２を互いに隣接した状態で配設した点で第１の実施形態に係る分配機能付きブースタ１０ａと相違している。その他の構成は、第１の実施形態に係る分配機能付きブースタ１０ａと同一である。すなわち、第８の実施形態に係る分配機能付きブースタ１０ｈは、ハウジング１２の表面１２１の上部に信号入力端部１８に接続されたテレビコンセント７０と、ハウジング１２の表面１２１の上部に電源入力端部２０に接続された電源コンセント７２とを配設したものである。
【００７１】
図１９は、上記のように構成された第８の実施形態に係る分配機能付きブースタ１０ｈの壁コンセント３０に対する取り付け方法を説明するための図で、（ａ）は取り付け前の状態を示す図、（ｂ）は取り付け後の状態を示す図である。すなわち、第８の実施形態に係る分配機能付きブースタ１０ｇは、第１の実施形態に係る分配機能付きブースタ１０ａと同様に、コネクタからなる信号入力端部１８が壁コンセント３０のテレビコンセントからなる信号出力端部３２に差し込まれることで信号出力端部３２に電気的に接続されると共に、電源プラグからなる電源入力端部２０が壁コンセント３０の電源コンセントからなる電源出力端部３４に差し込まれることで電源出力端部３４に電気的に接続され、壁コンセント３０の信号出力端部３２及び電源出力端部３４を覆った状態で壁コンセント３０に取り付けられることになる。すなわち、この実施形態では、第１の実施形態のものと同様に、信号入力端部１８と電源入力端部２０とにより、分配機能付きブースタ１０ｈを構成するハウジング１２が壁コンセント３０に支持される。
【００７２】
このため、第８の実施形態に係る分配機能付きブースタ１０ｈは、第１の実施形態に係る分配機能付きブースタ１０ａと同様に、分配機能付きブースタ１０ｇを床面に設置したり、壁面にねじ止めしたりする必要がなくなる結果、取り扱いが容易となり、分配器２３１を一体に備えることで小型化される結果、設置のための省スペース化を促進することができる。また、ハウジング１２の表面１２１にテレビコンセント７０及び電源コンセント７２が配設されているので、これまで壁コンセント３０に接続していた映像機器をテレビコンセント７０及び電源コンセント７２に接続することにより、その映像機器をこれまでと同様に使用することができる。
【００７３】
なお、第８の実施形態に係る分配機能付きブースタ１０ｈでは、ハウジング１２の表面１２１に配設したテレビコンセント７０が信号入力端部１８に接続されたものであるが、これに限るものではない。例えば、このテレビコンセント７０をブースタ２２に設けられている分配器２３１の出力端に接続するようにしてもよい。また、第８の実施形態に係る分配機能付きブースタ１０ｈでは、テレビコンセント７０及び電源コンセント７２をハウジング１２の表面に配設しているが、これに限るものではない。例えば、これらテレビコンセント７０及び電源コンセント７２をハウジング１２の側面（上下面も含む）に配設することもできる。
【００７４】
図２０は、本発明の第９の実施形態に係る分配機能付きブースタの外観斜視図であり、（ａ）は表面外観斜視図、（ｂ）は背面外観斜視図である。この第９の実施形態に係る分配機能付きブースタ１０ｉは、第１の実施形態に係る分配機能付きブースタ１０ａと基本的には同一の構成要素からなるものであるため、同一の機能を有する構成要素については同一の符号を付与することにより詳細な説明を省略し、以下には第１の実施形態に係る分配機能付きブースタ１０ａとの相違点を中心に説明する。
【００７５】
この第９の実施形態に係る分配機能付きブースタ１０ｉは、壁コンセント３０の信号出力端部３２から出力されるテレビジョン放送信号を増幅すると共に、この増幅したテレビジョン放送信号を分配して各信号供給端部２４から出力する第１の出力モード、及び、壁コンセント３０の信号出力端部３２から出力されるテレビジョン放送信号を増幅せずに直接分配して各信号供給端部２４から出力する第２の出力モードのいずれか一方の出力モードに選択的に切り換えるようにした点で第１の実施形態に係る分配機能付きブースタ１０ａと相違している。その他の構成は、第１の実施形態に係る分配機能付きブースタ１０ａと同一である。
【００７６】
すなわち、第９の実施形態に係る分配機能付きブースタ１０ｉは、ハウジング１２の表面１２１に第１の出力モード及び第２の出力モードのいずれか一方の出力モードに選択的に切り換えるモード切換スイッチ７４を配設したものである。このモード切換スイッチ７４は、第１の切換接点７４１及び第２の切換接点７４２を有する２連に構成されたもので、例えば、図２１に示すように、ブースタ２２における信号入力端部１８とＢＳ・１１０°ＣＳ／Ｕ・Ｖ分波器２２１との間に第１の切換接点７４１を介在させ、ＢＳ・１１０°ＣＳ／Ｕ・Ｖ混合器２３０と分配器２３１との間に第２の切換接点７４２を介在させたものである。
【００７７】
この第１の出力モード及び第２の出力モードの切り換え構成において、モード切換スイッチ７４を操作して第１の出力モードに設定する場合、第１の切換接点７４１の共通接点ｃが第１の接点ａに切り換えられると共に、第２の切換接点７４２の共通接点ｃが第１の接点ａに切り換えられる。これにより、信号出力端部３２から出力されたテレビジョン放送信号が増幅されると共に、この増幅されたテレビジョン放送信号が分配されて各信号供給端部２４に供給される。また、モード切換スイッチ７４を操作して第２の出力モードに設定する場合、第１の切換接点７４１の共通接点ｃが第２の接点ｂに切り換えられると共に、第２の切換接点７４２の共通接点ｃが第２の接点ｂに切り換えられる。これにより、信号出力端部３２から出力されたテレビジョン放送信号が増幅されないで直接分配されて各信号供給端部２４に供給される。
【００７８】
図２２は、上記のように構成された第９の実施形態に係る分配機能付きブースタ１０ｉ
の壁コンセント３０に対する取り付け方法を説明するための図で、（ａ）は取り付け前の状態を示す図、（ｂ）は取り付け後の状態を示す図である。すなわち、第９の実施形態に係る分配機能付きブースタ１０ｉは、第１の実施形態に係る分配機能付きブースタ１０ａと同様に、コネクタからなる信号入力端部１８が壁コンセント３０のテレビコンセントからなる信号出力端部３２に差し込まれることで信号出力端部３２に電気的に接続されると共に、電源プラグからなる電源入力端部２０が壁コンセント３０の電源コンセントからなる電源出力端部３４に差し込まれることで電源出力端部３４に電気的に接続され、壁コンセント３０の信号出力端部３２及び電源出力端部３４を覆った状態で壁コンセント３０に取り付けられることになる。すなわち、この実施形態では、第１の実施形態のものと同様に、信号入力端部１８と電源入力端部２０とにより、分配機能付きブースタ１０ｉを構成するハウジング１２が壁コンセント３０に支持される。
【００７９】
このため、第９の実施形態に係る分配機能付きブースタ１０ｉは、第１の実施形態に係る分配機能付きブースタ１０ａと同様に、分配機能付きブースタ１０ｉを床面に設置したり、壁面にねじ止めしたりする必要がなくなる結果、取り扱いが容易となり、分配器２３１を一体に備えることで小型化される結果、設置のための省スペース化を促進することができる。また、モード切換スイッチ７４を備えているので、壁コンセント３０の信号出力端部３２から出力されるテレビジョン放送信号のレベルが低い場合は第１の出力モードに設定し、壁コンセント３０の信号出力端部３２から出力されるテレビジョン放送信号のレベルが高い場合は第２の出力モードに設定することができ、利便性に優れたものとなると共に、ブースタではなく分配器としての利用も可能になる。
【００８０】
以上説明したように、本発明は、壁コンセント３０の信号出力端部３２に接続される信号入力端部１８と、この信号入力端部１８から入力されるテレビジョン放送信号を増幅すると共に、この増幅したテレビジョン放送信号を分配する分配器を有するブースタ２２と、このブースタ２２から分配して出力されるテレビジョン放送信号を複数の映像機器に供給する複数の信号供給端部２４と、壁コンセント３０の電源出力端部３４に接続され、ブースタ２２に電力を供給する電源入力端部２０とを備えているため、従来のようにブースタや分配器などを床面に設置したり、壁面にねじ止めしたりする必要がなくなる結果、取り扱いが容易となり、分配器を一体に備えていることで小型化される結果、設置のための省スペース化を効果的に促進することができる。
【００８１】
なお、本発明は、上記各実施形態のものに限定されるものではなく、以下に述べるような種々の変形態様を必要に応じて採用することができる。例えば、上記各実施形態では、ハウジング１２が電磁シールド機能を有する直方体形状に形成されたものであるが、これに限るものではない。たとえば、合成樹脂などの絶縁材料により直方体形状に形成することも可能である。また、上記各実施形態では、信号供給端部２４をハウジング１２の下面に配設するようにしているが、これに限るものではない。例えば、ハウジング１２の表面や上面などに配設することも可能である。
【００８２】
また、上記各実施形態では、ブースタ２２をＢＳ・１１０°ＣＳ放送信号及びＵＨＦ・ＶＨＦ放送信号の広周波数帯域のテレビジョン放送を増幅可能に構成したものであるが、特定の周波数帯域のテレビジョン放送のみを増幅可能に構成するようにしてもよい。さらに、上記各実施形態では、ハウジング１２に電源スイッチ１４を設けているが、電源スイッチ１４を設けないで信号入力端部１６及び電源入力端部２０を壁コンセント３０に接続したときに常時電源が供給されるようにすることもできる。
【００８３】
なお、上記各実施形態では、壁コンセント３０として、信号出力端部３２及び電源出力端部３４が左右方向に配設されたものを用いているが、これに限るものではない。例えば、信号出力端部３２及び電源出力端部３４が上下方向に配設されたものであってもよい。この場合、分配機能付きブースタ１０ａ乃至１０ｉは、信号入力端部１８及び電源入力端部２０を上下方向に配設するようにすればよい。
【図面の簡単な説明】
【００８４】
【図１】本発明の第１の実施形態に係る分配機能付きブースタの外観斜視図であり、（ａ）は表面外観斜視図、（ｂ）は背面外観斜視図である。
【図２】本発明の分配機能付きブースタを取り付ける壁コンセントの外観正面図である。
【図３】本発明の分配機能付きブースタを取り付ける壁コンセントの構造を説明するための図である。
【図４】本発明の分配機能付きブースタの機能を説明するためのブロック構成図である。
【図５】図１に示す第１の実施形態に係る分配機能付きブースタの壁コンセントへの取り付け方法を説明するための図であり、（ａ）は取り付け前の状態を示す斜視図、（ｂ）は取り付け後の状態を示す正面図である。
【図６】本発明の第２の実施形態に係る分配機能付きブースタの外観斜視図であり、（ａ）は表面外観斜視図、（ｂ）は背面外観斜視図である。
【図７】図６に示す第２の実施形態に係る分配機能付きブースタの壁コンセントへの取り付け方法を説明するための図であり、（ａ）は取り付け前の状態を示す斜視図、（ｂ）は取り付け後の状態を示す正面図である。
【図８】本発明の第３の実施形態に係る分配機能付きブースタの外観斜視図であり、（ａ）は表面外観斜視図、（ｂ）は背面外観斜視図である。
【図９】図８に示す第３の実施形態に係る分配機能付きブースタの壁コンセントへの取り付け方法を説明するための図であり、（ａ）は取り付け前の状態を示す斜視図、（ｂ）は取り付け後の状態を示す正面図である。
【図１０】本発明の第４の実施形態に係る分配機能付きブースタの外観斜視図であり、（ａ）は表面外観斜視図、（ｂ）は背面外観斜視図である。
【図１１】図１０に示す第４の実施形態に係る分配機能付きブースタの壁コンセントへの取り付け方法を説明するための図であり、（ａ）は取り付け前の状態を示す斜視図、（ｂ）は取り付け後の状態を示す正面図である。
【図１２】本発明の第５の実施形態に係る分配機能付きブースタの外観斜視図であり、（ａ）は表面外観斜視図、（ｂ）は背面外観斜視図である。
【図１３】図１２に示す第５の実施形態に係る分配機能付きブースタの壁コンセントへの取り付け方法を説明するための図であり、（ａ）は取り付け前の状態を示す斜視図、（ｂ）は取り付け後の状態を示す正面図である。
【図１４】本発明の第６の実施形態に係る分配機能付きブースタの外観斜視図であり、（ａ）は表面外観斜視図、（ｂ）は背面外観斜視図である。
【図１５】図１４に示す第６の実施形態に係る分配機能付きブースタの壁コンセントへの取り付け方法を説明するための図であり、（ａ）は取り付け前の状態を示す斜視図、（ｂ）は取り付け後の状態を示す正面図である。
【図１６】本発明の第７の実施形態に係る分配機能付きブースタの外観斜視図であり、（ａ）は表面外観斜視図、（ｂ）は背面外観斜視図である。
【図１７】図１６に示す第７の実施形態に係る分配機能付きブースタの壁コンセントへの取り付け方法を説明するための図であり、（ａ）は取り付け前の状態を示す斜視図、（ｂ）は取り付け後の状態を示す正面図である。
【図１８】本発明の第８の実施形態に係る分配機能付きブースタの外観斜視図であり、（ａ）は表面外観斜視図、（ｂ）は背面外観斜視図である。
【図１９】図１８に示す第８の実施形態に係る分配機能付きブースタの壁コンセントへの取り付け方法を説明するための図であり、（ａ）は取り付け前の状態を示す斜視図、（ｂ）は取り付け後の状態を示す正面図である。
【図２０】本発明の第９の実施形態に係る分配機能付きブースタの外観斜視図であり、（ａ）は表面外観斜視図、（ｂ）は背面外観斜視図である。
【図２１】図２０に示す第９の実施形態に係る分配機能付きブースタの機能を説明するためのブロック構成図である。
【図２２】図２０に示す第９の実施形態に係る分配機能付きブースタの壁コンセントへの取り付け方法を説明するための図であり、（ａ）は取り付け前の状態を示す斜視図、（ｂ）は取り付け後の状態を示す正面図である。
【図２３】従来のマンションなどの建築物におけるテレビジョン放送信号の分配構成を説明するための図である。
【図２４】従来の各部屋のテレビジョン放送信号の分配構成を説明するための図である。
【符号の説明】
【００８５】
１０ａ，１０ｂ，１０ｃ，１０ｄ，１０ｅ，１０ｆ，１０ｇ，１０ｈ，１０ｉ  分配機能付きブースタ
１２  筐体
１８  信号入力端部
２０  電源入力端部
２２  ブースタ
２４  信号供給端部
３０  壁コンセント
３２  信号出力端部
３４  電源出力端部
５０  電源コンセント
５２  収納凹部
５４  電源プラグ
５６  電源ケーブル
６０  コネクタ
６２  同軸ケーブル
６４，６６  係合爪
７０  テレビコンセント
７２  電源コンセント
７４  モード切換スイッチ
２０２  差込孔
３０２  プレート取付枠体
３０３，３０４  出力端取付枠体
３０５  係合孔
３０８，３０９  切欠き
３４１  電線端末部
【図１】
2006060705.tif 000003
【図２】
2006060705.tif 000004
【図３】
2006060705.tif 000005
【図４】
2006060705.tif 000006
【図５】
2006060705.tif 000007
【図６】
2006060705.tif 000008
【図７】
2006060705.tif 000009
【図８】
2006060705.tif 000010
【図９】
2006060705.tif 000011
【図１０】
2006060705.tif 000012
【図１１】
2006060705.tif 000013
【図１２】
2006060705.tif 000014
【図１３】
2006060705.tif 000015
【図１４】
2006060705.tif 000016
【図１５】
2006060705.tif 000017
【図１６】
2006060705.tif 000018
【図１７】
2006060705.tif 000019
【図１８】
2006060705.tif 000020
【図１９】
2006060705.tif 000021
【図２０】
2006060705.tif 000022
【図２１】
2006060705.tif 000023
【図２２】
2006060705.tif 000024
【図２３】
2006060705.tif 000025
【図２４】
2006060705.tif 000026